(57)【要約】【課題】遊戯板の形状が限定されず、その形状に合わせて遊戯の仕方が変えられるフレキシビリティに富んだ新しい発想の玩具遊戯板を提供すること。【解決手段】  板面上で玩具体Ｂを用いて遊戯するための玩具遊戯板Ａであって、以下の要件を備えることを特徴とする玩具遊戯板。（イ）上記遊戯板Ａは複数の方形状のシート部材１で構成されるとともに、該シート部材１の適宜の辺同士を連結して構成されること（ロ）上記遊戯板Ａには上記玩具体Ｂ若しくはその構成部材を遊戯板Ａの外部に出さないようにするフェンス部材３０を配置するとともに、該フェンス部材３０を上記遊戯板Ａの外周縁を形成するシート部材１の各辺に配置したこと【選択図】図１
2005131108.tif 000002
【特許請求の範囲】
【請求項１】
板面上で玩具体を用いて遊戯するための玩具遊戯板であって、以下の要件を備えることを特徴とする玩具遊戯板。
（イ）上記遊戯板は複数の方形状のシート部材で構成されるとともに、該シート部材の適宜の辺同士を連結して形成されること
（ロ）上記遊戯板には上記玩具体若しくはその構成部材を遊戯板の外部に出さないようにするフェンス部材を配置するとともに、該フェンス部材を上記遊戯板の外周縁を構成するシート部材の各辺に配置したこと
【請求項２】
前記シート部材の適宜の連結部中央には水平方向に回転可能な回転部材を配置し、該回転部材を前記フェンス部材で構成した、請求項１記載の玩具遊戯板。
【請求項３】
前記シート部材の少なくとも１つには前記玩具体を載置する載置場所を明示した、請求項１又２記載の玩具遊戯板。
【請求項４】
前記玩具体が球体を発射する球体発射玩具である、請求項１、２又は３記載の玩具遊戯板。
【発明の詳細な説明】
【技術分野】
【０００１】
本発明は、玩具遊戯板、詳しくは複数の方形状のシート部材からなる玩具遊戯板であって、シート部材の連結の仕方によって該遊戯板を形状を任意に設定できるようにした玩具遊戯板に関するものである。
【背景技術】
【０００２】
従来、遊戯盤上で玩具体を動かして遊戯するゲーム装置は様々なものが提案されている（例えば、特許文献１）。
【０００３】
この、ゲーム装置は半球状のボールと、このボールを直接打撃するための打撃具とを備えたもので、ボールの飛ぶ方向や飛距離のコントロールを容易にし、遊技者同士でボールコントロールの技術を競うことができるようにしたものである。
【特許文献１】登録実用新案第３０３７４１９号公報
【発明の開示】
【発明が解決しようとする課題】
【０００４】
本発明が解決しようとする問題点は、上述のゲーム装置に代表されるように球体状の玩具部品を用いて遊戯を行なう場合、サッカーや野球などが想定され、その遊戯を行なう場面が競技場や球場などをイメージするために遊戯板自体が限定された形状になり、遊び方も限定されてしまう点であった。
【０００５】
本発明は、上記問題点を解決し、遊戯板の形状が限定されず、その形状に合わせて遊戯の仕方が変えられるフレキシビリティに富んだ新しい発想の玩具遊戯板を提供することを課題とする。
【課題を解決するための手段】
【０００６】
前記課題を解決するために本発明に係る玩具遊戯板は、板面上で玩具体を用いて遊戯するための玩具遊戯板であって、以下の要件を備えることを特徴とする。
（イ）上記遊戯板は複数の方形状のシート部材で構成されるとともに、該シート部材の適宜の辺同士を連結して形成されること
（ロ）上記遊戯板には上記玩具体若しくはその構成部材を遊戯板の外部に出さないようにするフェンス部材を配置するとともに、該フェンス部材を上記遊戯板の外周縁を構成するシート部材の各辺に配置したこと
【０００７】
なお、前記シート部材の適宜の連結部中央には水平方向に回転可能な回転部材を配置し、該回転部材を前記フェンス部材で構成してもよい。
【０００８】
なお、前記シート部材の少なくとも１つには前記玩具体を載置する載置場所を明示することが好ましい。
【０００９】
そして、前記玩具体が球体を発射する球体発射玩具であり、前記玩具遊戯板上で球体を発射して遊戯するようにしてもよい。
【発明の効果】
【００１０】
請求項１の発明によれば、玩具体で遊戯する遊戯板の形状が限定されることがなくなるので、遊び方を遊戯板の形状に合わせて変えることが可能になり、遊戯板の周縁にフェンス部材を設けたので、玩具体若しくはその構成部材が遊戯板の外に出るようなことがない。
【００１１】
請求項２の発明によれば、シート部材の適宜の連結部中央には水平方向に回転可能な回転部材を配置したので、遊戯の多彩な展開を図ることが可能になる。
【００１２】
請求項３の発明によれば、遊戯板上に載置する玩具体の載置場所を明確にすることができ、遊戯の正しい運用を図ることが可能になる。
【００１３】
請求項４の発明によれば、球体発射玩具で球体を発射しても、発射した球体はフェンス部材で遊戯板上から飛び出すことがないので、発射した球体を紛失するようなことがない。
【発明を実施するための最良の形態】
【００１４】
遊戯板を複数の方形状のシート部材で構成するとともに、該シート部材の適宜の辺同士を連結して形成し、該遊戯板には玩具体若しくはその構成部材を遊戯板の外部に出さないようにするフェンス部材を配置するとともに、該フェンス部材を上記遊戯板の外周縁を構成するシート部材の各辺に配置し、板面上で玩具体を用いて遊戯できるようにした。
【実施例１】
【００１５】
図１は本発明に係る玩具遊戯板Ａの一例を示し、この玩具遊戯板（以下、遊戯板という）Ａは板面上で玩具体Ｂである球体発射玩具にその構成部材である球体Ｃを発射させて遊戯できるように構成されているものである。
【００１６】
この遊戯板Ａは複数のシート部材１（本発明では、遊戯板Ａを４枚のシート部材で構成した）を各シート部材１の適宜の辺同士を連結させて直線状又は鉤型状など任意の形状に設定できるようになっており、図２に示すように、各シート部材１の四隅には第一の取付孔２が形成され、各辺の中央には第二の取付孔３が形成されている。
【００１７】
上記第一の取付孔２は、後述するジョイント部材であるコーナージョイント１０又はストレートジョイント２０を取り付けるためのもので、第二の取付孔３は後述する回転フェンス部材３０´を回転可能に支持する支持部材３５、又は後述するフェンス部材３０の中央部分をシート部材１に固定するための固定ピン１７の嵌合軸１８を挿通させるためのものである。
【００１８】
また、シート部材１の各辺には他のシート部材１を連結する際に位置合わせをするためのフィールドマーク４、５が表示され、シート部材１ｃ、１ｄには上記玩具体の載置位置を明示するためのシューティングライン６が表示されるとともに、シート部材１ａ、１ｂ、１ｄにはターゲットを載置する際にその載置位置を明示するためのターゲットマーク７が表示されている。
【００１９】
コーナージョイント１０は、図1に示すように、シート部材１を鉤型に連結した場合、その内角部に取り付けられる第１のコーナージョイント１１と、シート部材１の各角部に取り付けられる第２のコーナージョイント１２とから構成されている。
【００２０】
第１のコーナージョイント１１は、図３（ａ）に示すように、Ｌ形の基板上の内辺側には起立片１３が形成されるとともに、基板上面には嵌合突部１４が突出形成されているもので、シート部材１を鉤型に連結させた内角部にの裏側面から嵌合突部１４をシート部材１の第一の取付孔２に嵌め合わせるとともに、先端をシート部材１の上方に突出させ、図３（ｂ）に示すように、嵌合突部１４にフェンス部材３０の嵌合凹部３１を嵌め合わせれば、シート部材１同士を連結することができるとともにフェンス部材３０をシート部材１上に固定できるようになっている。
【００２１】
なお、符号３５は後述する支持部材であって嵌合孔３７を嵌合突部１４に嵌め合わせることにより支持軸３６がフェンス部材３０間の隙間を埋めることができるようになっている。
【００２２】
第２のコーナージョイント１２は、図４（ａ）に示すように、略三角形の基板上の外辺側には起立片１５が形成されるとともに、基板上面には嵌合突部１６が突出形成されているもので、シート部材１の角部の裏側面から嵌合突部１６をシート部材１の第一の取付孔２に嵌め合わせるとともに、先端をシート部材１の上方に突出させ、図４（ｂ）に示すように、嵌合突部１６にフェンス部材３０の嵌合凹部３１を嵌め合わせれば、フェンス部材３０をシート部材１上に固定できるようになっている。
【００２３】
なお、図４（ｃ）において、符号１７は固定ピンを示し、この固定ピン１７はシート部材1の辺の中央に形成された第二の取付孔３から嵌合軸１８の先端を突出させ、フェンス部材３０の中央に形成された嵌合凹部３２に嵌め合わせてフェンス部材３０をシート部材１上に確実に固定するためのものである。
【００２４】
ストレートジョイント２０は、図５（ａ）に示すように、長板状の基板上の外側には起立片２１が形成されるとともに、基板上面には嵌合突部２２が突出形成されているもので、シート部材１同士を直線的に連接した連結部の端部の裏側面から嵌合突部２２をシート部材１の第一の取付孔２に嵌め合わせるとともに、先端をシート部材１の上方に突出させ、図５（ｂ）に示すように、嵌合突部２２にフェンス部材３０の嵌合凹部３１を嵌め合わせれば、シート部材１同士を連結することができるとともにフェンス部材３０をシート部材１上に連続した状態で固定できるようになっている（図５（ｃ）参照）。
【００２５】
フェンス部材３０は略棒状に形成され底面両側部には上述したジョイント部材（コーナージョイント１０、ストレートジョイント２０）に形成された嵌合軸１４、１６、２２に嵌合する嵌合凹部３１が形成され、底面中央部には支持部材３５の支持軸３６に係合し回転可能に軸支される係合凹部３２が形成されている。
【００２６】
支持部材３５はフェンス部材３０を水平方向に回転可能に支持するもので、この支持部材３５は、図６（ａ）に示すように、長方形の基板上の中央に支持軸３６が突出形成されるとともに、支持軸３６の両側には固定ピン１７の嵌合軸１８を嵌め合わせる嵌合孔３７が形成されているもので、上記支持軸３６の太さはフェンス部材３０の中央部分に形成された嵌合凹部３２の内径よりも細く形成されている。
【００２７】
この支持部材３５は、シート部材１同士を連結した連結部の中央の裏側面から嵌合突部２２をシート部材１の第二の取付孔３に嵌め合わせるとともに、先端をシート部材１の上方に突出させ、図６（ｂ）に示すように、嵌合突部２２に支持部材３５の嵌合孔３７を嵌め合わせれば、シート部材１上に固定されるようになっており、シート部材１上に固定された支持部材３５の支持軸３６にフェンス部材３０の嵌合凹部３２を係合させれば、支持部材３５上でフェンス部材３０を水平方向に自由に回転させることができるようになっている。
【００２８】
なお、この支持部材３５に回転可能に支持されるフェンス部材３０は、以下、回転フェンス部材３０´という。
【００２９】
玩具体Ｂは球体Ｃを発射する球体発射玩具で構成され、この玩具体Ｂは、図７（ａ）に示すように、後頭部４１から球体Ｃであるビーダマを胴体部４２内に配置された図示しない一対の弾き片間４３に装填し、トリガー４４をスプリング４５に抗して押し操作してビーダマＣを弾き片４３を押し広げながら前方に押し出し、弾き片４３の先端からビーダマＣが押し出される瞬間、図７（ｂ）に示すように、弾き片４３の復元力でビーダマＣが前方に弾き飛ばされるようになっている公知の玩具体である。
【００３０】
次に、上記遊戯板Ａ上で球体発射玩具Ｂを用いてビーダマＣを発射して遊戯する遊戯方法について説明する。
【００３１】
図８は、遊戯板Ａの一例を示すもので、この遊戯板Ａは４枚のシート部材１を鉤型に連結したものであり、両端には玩具体Ｂを載置するエリアを定義するためのシューティングライン６が表示されたシート部材１ｃ、１ｄが配置されるように連結し、中央には回転フェンス部材３０´を配置し、遊戯板Ａの周縁はフェンス部材３０を固定し、玩具体Ｂが発射したビーダマＣが遊戯板Ａ上から外に転がり出ることのないようにしてある。
【００３２】
この遊戯板Ａで遊戯する場合は、図９に示すようにシューティングライン６の内側に球体発射玩具Ｂを置き、回転フェンス部材３０´をくぐりぬけて相手側に自分のビーダマを如何に多く撃ち込めるかを競うことができる遊戯を行うことができる。
【００３３】
図１０は、遊戯板Ａの他の例を示し、この遊戯板Ａは４枚のシート部材１をＬ字状に連結したもので、ショットゾーンａに球体発射玩具Ｂを配置し、ゴールゾーンｂにビーダマＣを所定時間内に幾つ撃ち込むことができるかを競うもので、長辺部分のシート部材１の連結部には回転フェンス部材３０´を配置し、この回転フェンス部材３０´をビーダマＣで撃つことにより回転させて球体Ｃをいかにゴールゾーンｂに撃ち込むことができることを競う遊戯を行なうことができるようにしたものである。
【００３４】
なお、ゴールゾーンｂに入らない球体Ｃは拾い上げて再度球体発射玩具Ｂから発射することはできるが、所定時間内に限定されるため、無制限に使用することはできないようにしておけばよい。
【００３５】
図１１は、遊戯板Ａのさらに他の例を示し、この遊戯板Ａは４枚のシート部材１をＴ字状に連結したもので、ショットゾーンｂに球体発射玩具Ｂを配置し、ターゲットゾーンｄにターゲット４０を配置するとともに、横方向に連結したシート部材１の連結部には回転フェンス部材３０´を配置し、この回転フェンス部材３０´を球体Ｃで撃つことにより回転させて、限られた球体Ｃの数（例えば、２個）で回転フェンス部材３０´を回転させてターゲット４０をいかに多く倒すかを競うことができるようにしたものである。
【００３６】
上述したように、シート部材の配列を変え、様々な形状の遊戯板を構成することができるとともに、遊戯板の形状に合わせて遊び方を変えることができるので。同じ構成部品でありながら一人遊びや、相手の発射玩具と対戦する遊びもできるので同一の遊戯だけではなく様々な遊戯が工夫でき飽きのこない遊戯板を提供することができる。
【図面の簡単な説明】
【００３７】
【図１】本発明に係る玩具遊戯板の一例を示す斜視図
【図２】シート部材を説明する平面図
【図３】（ａ）（ｂ）はシート部材の連結方法及びフェンス部材の固定方法を説明する斜視図
【図４】（ａ）〜（ｃ）はフェンス部材の固定方法を説明する斜視図
【図５】（ａ）〜（ｃ）はシート部材の連結方法及びフェンス部材の固定方法を説明する斜視図（ａ）〜（ｃ）はフェンス部材の固定方法を説明する斜視図
【図６】（ａ）（ｂ）は回転フェンス部材を説明する斜視図
【図７】（ａ）（ｂ）は球体発射玩具を説明する斜視図
【図８】遊戯板の一例を示す平面図
【図９】上記遊戯板の遊戯方法を説明する平面図
【図１０】遊戯板の他の例を示す平面図
【図１１】遊戯板のさらに他の例を示す平面図
【符号の説明】
【００３８】
１    シート部材
１０    コーナージョイント（ジョイント部材）
２０    ストレートジョイント（ジョイント部材）
３０    フェンス部材
３０´    回転フェンス部材
Ａ    玩具遊戯板
Ｂ    球体発射玩具
Ｃ  球体
【図１】
2005131108.tif 000003
【図２】
2005131108.tif 000004
【図３】
2005131108.tif 000005
【図４】
2005131108.tif 000006
【図５】
2005131108.tif 000007
【図６】
2005131108.tif 000008
【図７】
2005131108.tif 000009
【図８】
2005131108.tif 000010
【図９】
2005131108.tif 000011
【図１０】
2005131108.tif 000012
【図１１】
2005131108.tif 000013